(57)【特許請求の範囲】
【請求項１】
シャフトとプレートを備えるフィットネスバーベルであって、前記プレートが円環状のフィットネスリングの重りであり、当該フィットネスリングの重りの円環状の構造内部にその直径方向に沿って設置されるハンドルが設けられ、シャフトと円環状のフィットネスリングの重りとの間を固定座及び締付錠からなる接続手段によって着脱可能に締付接続し、締付錠のラッチボルトによって、円環状のフィットネスリングの重りを前記固定座と締付錠のロック本体との間に制限し、
固定座の外端面にロックホールラグが設けられ、ロックホールラグの下端面にロックホールラグ皿穴（７１）が設けられ、ロック本体上に前記ロックホールラグを収容するためのロック本体の内端面の皿穴（１０２）が設けられ、ロック本体の内端面の皿穴（１０２）の下壁にロックホールラグ皿穴（７１）の寸法と適合するスルーホール（１０７）が設けられ、
固定座とロック本体とをロックさせる時に、前記ラッチボルトがロック本体のスルーホール（１０７）を貫通して、固定座のロックホールラグ皿穴（７１）に挿入することにより、固定座とロック本体とを一体化することを特徴とするフィットネスバーベル。
【請求項２】
前記固定座は階段を有する円柱状であり、その低い段の円柱部分には直径方向に凹部（４２）が設けられ、円環状のフィットネスリングの重りは固定座の前記低い段の円柱上に嵌合接続され、かつフィットネスリングの重りのハンドルを前記凹部（４２）中に係合し、
ラッチボルトがロック本体の外端面の皿穴（１０３）中に設置され、ラッチボルトの内端面がロック本体の外端面の皿穴（１０３）の底面に密接され、当該皿穴（１０３）を上下に摺動することができ、ラッチボルトの下端面とロック本体の外端面の皿穴（１０３）の下壁面との間にラッチボルト復位バネ（１５０）が設けられ、
ラッチボルトが復位バネ（１５０）による押し上げ作用を受けて上昇することにより、ラッチボルトの上端が前記スルーホール（１０７）を貫通してロックホールラグ皿穴（７１）に挿入し、固定座とロック本体とのロックを行うとともに、前記プレートを取り外す必要がある場合に、ラッチボルトに対して下向きの力を加えることにより、復位バネ（１５０）が圧縮状態になり、ラッチボルトの上端が前記ロックホールラグ皿穴（７１）から離脱することで、固定座とロック本体との分離を実現することを特徴とする請求項１に記載のフィットネスバーベル。
【請求項３】
前記ラッチボルトの下部の両側にラッチボルトをリリースするガイド面（１４２）が対称的に設置され、ラッチボルトの外端にリリースボタンが設けられ、リリースボタンの両側において、前記ラッチボルトをリリースするガイド面（１４２）に対応する位置にボタンをリリースするガイド面（１６４）が設けられるとともに、ラッチボルトをリリースするガイド面（１４２）とボタンをリリースするガイド面（１６４）とを突合せて設置することによって、リリースボタンに対する水平内向きの力をラッチボルトに対する下向きの力に変換することができるので、前記固定座とロック本体との分離を実現することを特徴とする請求項２に記載のフィットネスバーベル。
【請求項４】
前記ロック本体の外端面の皿穴（１０３）の底面中央部にロック本体の皿穴ラグ（１０６）が設けられ、ラッチボルトの中央部の対応位置に長穴状のスルーホール（１４３）が設けられるのに応じて、リリースボタンの内端面中央部にリリースボタン復位バネラグ（１６３）が設けられ、かつ横向きに設置されるリリースボタン復位バネ（１３０）を前記長穴状のスルーホール（１４３）に穿設し、バネ（１３０）の一端がロック本体の皿穴ラグ（１０６）上に嵌合接続し、他端がリリースボタン復位バネラグ（１６３）上に嵌合接続することを特徴とする請求項３に記載のフィットネスバーベル。
【請求項５】
前記固定座上にヒンジラグ（８）が設けられ、ロック本体の下辺縁の対応位置にヒンジラグ（８）を収容するためのヒンジ切り口が設けられ、ヒンジピンをロック本体上のヒンジ切り口の両側及びヒンジラグ（８）上の対応ピン穴に穿設させ、ロック本体の下辺縁と固定座とを回転可動に接続することを特徴とする請求項１〜４のいずれかに記載のフィットネスバーベル。
【請求項６】
前記固定座とロック本体との間に円柱状の回転トーションバーの回転復位バネ（１２０）が設けられ、バネ（１２０）が前記ヒンジピン上に嵌合接続し、バネ（１２０）の一端が固定座とヒンジ復位バネ固定溝（８２）によって締付接続させ、他端がロック本体と締付接続するとともに、ロック本体と固定座をアンロックすることによりロック本体がヒンジピンの周りを外側に回転して、ロック本体の内端面と固定座の外端面を互いに離脱させることを特徴とする請求項５に記載のフィットネスバーベル。
【請求項７】
ロック本体の外端に前記ラッチボルトとリリースボタンをロック本体の外端カバーが覆い、ロック本体とロック本体の外端カバーとの締付接続を行うとともに、ロック本体の外端カバーの中央にリリースボタンの寸法と適合するスルーホール（１７１）が設けられ、前記リリースボタンの上下端部に凸部を設置し、固定座とロック本体がロック状態にある場合に、前記凸部をスルーホール（１７１）の内側の辺縁部に当接し、これによってリリースボタンのスルーホール（１７１）から抜け出すことを防止することを特徴とする請求項３または４に記載のフィットネスバーベル。
【請求項８】
前記スルーホール（１７１）の外側にリリースボタンを押しやすくするためのリリースボタンカバーが設けられることを特徴とする請求項７に記載のフィットネスバーベル。
【請求項９】
前記固定座の内端面の軸中心位置にシャフトの直径と適合する軸方向の皿穴が設けられ、シャフトの端部を前記軸方向の皿穴に挿入して、固定ピン（６）によって固定接続することを特徴とする請求項１〜４のいずれかに記載のフィットネスバーベル。
【請求項１０】
前記シャフトの端部に把持位置を示す止め輪を嵌合接続することを特徴とする請求項１〜４のいずれかに記載のフィットネスバーベル。 
【発明の詳細な説明】
【技術分野】
【０００１】
本発明はフィットネス機器、特に円環状のフィットネスリングの重りをプレートとして使用するフィットネスバーベルに関する。
【背景技術】
【０００２】
フィットネスバーベルのプレートとしてディスク状のプレートを使用することは、従来から知られている。このようなプレートは、バーベルのプレートとして利用できるが、その他のフィットネス運動には使用することが困難で、部材の材料を無駄にするという欠点がある。
【発明の概要】
【発明が解決しようとする課題】
【０００３】
本発明は上記従来技術における欠点を解決するために、バーベルのプレートとして、円環状のフィットネスリングの重り（円環状のプレートであって、フィットネスリングの重りのハンドルを円環状のプレート内の直径方向に位置させる）を使用し、これによって一器多用を実現し、材料の削減を図る。
【課題を解決するための手段】
【０００４】
本発明に係るフィットネスバーベルは、シャフトと、プレートである円環状のフィットネスリングの重りとを備え、当該フィットネスリングの重りの円環状の構造内部にその直径方向に沿って設置されるハンドルが設けられ、シャフトと円環状のフィットネスリングの重りとの間を固定座及び締付錠からなる接続手段によって着脱可能に締付接続し、締付錠のラッチボルトによって、円環状のフィットネスリングの重りを前記固定座と締付錠のロック本体との間に制限し、固定座の外端面にロックホールラグが設けられ、ロックホールラグの下端面にロックホールラグ皿穴（７１）が設けられ、ロック本体上に前記ロックホールラグを収容するためのロック本体の内端面の皿穴（１０２）が設けられ、ロック本体の内端面の皿穴（１０２）の下壁にロックホールラグ皿穴（７１）の寸法と適合するスルーホール（１０７）が設けられ、固定座とロック本体とをロックさせる時に、前記ラッチボルトがロック本体のスルーホール（１０７）を貫通して、固定座のロックホールラグ皿穴（７１）に挿入することにより、固定座とロック本体とを一体化する。 
【０００５】
好ましくは、前記固定座は階段を有する円柱状であり、その低い段の円柱部分には直径方向に凹部が設けられ、円環状のフィットネスリングの重りは固定座の前記低い段の円柱上に嵌合接続され、かつフィットネスリングの重りのハンドルを前記凹部中に係合する。
【０００７】
ラッチボルトがロック本体の外端面の皿穴中に設置され、ラッチボルト内端面がロック本体の外端面の皿穴の底面に密接され、当該皿穴を上下に摺動することができ、ラッチボルトの下端面とロック本体の外端面の皿穴の下壁面との間にラッチボルト復位バネが設けられる。
【０００８】
ラッチボルトが復位バネによる押し上げ作用を受けて上昇することにより、ラッチボルトの上端が前記スルーホールを貫通してロックホールラグ皿穴に挿入し、固定座とロック本体とのロックを行うとともに、前記プレートを取り外す必要がある場合に、ラッチボルトに対して下向きの力を加えることにより、復位バネが圧縮状態になり、ラッチボルトの上端が前記ロックホールラグ皿穴から離脱することで、固定座とロック本体との分離を実現する。
【０００９】
好ましくは、前記ラッチボルトの下部の両側にラッチボルトをリリースするガイド面が対称的に設置され、ラッチボルトの外端にリリースボタンが設けられ、リリースボタンの両側において、前記ラッチボルトをリリースするガイド面に対応する位置にボタンをリリースするガイド面が設けられるとともに、ラッチボルトをリリースするガイド面とボタンをリリースするガイド面とを突合せて設置することによって、リリースボタンに対する水平内向きの力をラッチボルトに対する下向きの力に変換することができるので、前記固定座とロック本体との分離を実現する。
【００１０】
好ましくは、前記ロック本体の外端面の皿穴の底面中央部にロック本体の皿穴ラグが設けられ、ラッチボルトの中央部の対応位置に長穴状のスルーホールが設けられるのに応じて、リリースボタンの内端面中央部にリリースボタン復位バネラグが設けられ、かつ横向きに設置されるリリースボタン復位バネを前記長穴状のスルーホールに穿設し、バネの一端がロック本体の皿穴ラグ上に嵌合接続（box-lock）し、他端がリリースボタン復位バネラグ上に嵌合接続する。
【００１１】
好ましくは、前記固定座上にヒンジラグが設けられ、ロック本体の下辺縁の対応位置にヒンジラグを収容するためのヒンジ切り口が設けられ、ヒンジピンをロック本体上のヒンジ切り口の両側及びヒンジラグ上の対応ピン穴に穿設させ、ロック本体の下辺縁と固定座とを回転可動に接続する。
【００１２】
好ましくは、前記固定座とロック本体との間に円柱状の回転トーションバーの回転復位バネが設けられ、バネがヒンジピン上に嵌合接続し、バネの一端が固定座とヒンジ復位バネ固定溝によって締付接続させ，他端がロック本体と締付接続するとともに、ロック本体と固定座をアンロックすることによりロック本体がヒンジピンの周りを外側に回転して、ロック本体の内端面と固定座の外端面を互いに離脱させる。
【００１３】
好ましくは、ロック本体の外端に前記ラッチボルトとリリースボタンをロック本体の外端カバーが覆い、ロック本体とロック本体の外端カバーとの締付接続を行うとともに、ロック本体の外端カバーの中央にリリースボタンの寸法と適合するスルーホールが設けられ、前記リリースボタンの上下端部に凸部を設置し、固定座とロック本体がロック状態にある場合に、前記凸部をスルーホールの内側の辺縁部に当接し、これによってリリースボタンのスルーホールから抜け出すことを防止する。
【００１４】
好ましくは、前記スルーホールの外側にリリースボタンを押しやすくするためのリリースボタンカバーが設けられる。
【００１５】
好ましくは、前記固定座の内端面の軸中心位置にシャフトの直径と適合する軸方向の皿穴が設けられ、シャフトの端部を前記軸方向の皿穴に挿入して、固定ピンによって固定接続する。
【００１６】
好ましくは、シャフトの端部に把持位置を示す止め輪を嵌合接続する。
【発明の効果】
【００１７】
従来の技術に比べ、本発明は以下のような有用な効果がある。
１、バーベルのプレートとして円環状のフィットネスリングの重りを使用することによって、一器多用を実現し、材料の削減を図る。
２、締付錠を使用することによって、プレートの取付けおよび取り外しを簡単に実施することができる。
【図面の簡単な説明】
【００１８】
【図１】本発明のフィットネスバーベルの分解斜視図（バーベルの片側のみを示す）である。
【図２】図１に示すフィットネスバーベルを実装した後のＡ−Ａ方向の断面図である。
【図３】図２に示すＩ部分の部分拡大図である。
【図４】本発明のフィットネスバーベルにおけるラッチボルト及びリリースボタンの分解模式図である。
【図５】本発明のフィットネスバーベルにおけるロック本体と固定座の間のロック及びアンロックの原理模式図である。
【発明を実施するための形態】
【００１９】
以下、図面を参照しながら、本発明の一つの具体的な実施形態を詳細に説明するが、本発明の請求の範囲は具体的な実施形態にのみ限定するものではない。
【００２０】
図１、２に示すように、本発明のフィットネスバーベルは、シャフト１と、円環状構造を有するプレートであるフィットネスリングの重り５とを備える。
【００２１】
フィットネスリングの重り５の円環状の内部に円心を通るハンドル５１が設けられてある。
【００２２】
固定座４と締付錠からなる接続手段によって固定座４に対してフィットネスリングの重り５を取付けおよび取り外し、シャフト１とプレートとの間を着脱可能に締付接続する。
【００２３】
シャフト１の端部に把持位置を示す止め輪２を嵌合接続する。
【００２４】
さらに、図１〜３に示すように、バーベルの固定座４は円柱状の構造であり、両端面がそれぞれバーベルのシャフト１とフィットネスリングの重り５に対向し、固定座４のバーベルのシャフト１に対向する端面を内端面とし、フィットネスリングの重り５に対向する端面を外端面とする。
【００２５】
固定座４の内端面の軸中心位置に、シャフト１の直径と適合する軸方向の皿穴（不図示）が設けられ、かつ皿穴の直径がシャフト１の直径と適合するので、シャフト１をスムーズにその中に挿入して、固定ピン６によって固定接続する。
【００２６】
さらに固定座４の内端面に適合する固定座端面カバー３で固定座４の内端面を覆う。
【００２７】
固定座端面カバー３は、ネジ３１によって固定座４と締付接続する。
【００２８】
さらに美的外観の視点から、固定座端面カバー３のねじ穴をスクリュープラグ３２で塞ぐ。
【００２９】
固定座４の外円部分は両段の階段を有し、固定座４の内端側を高い段とし、外端側を低い段４１とする。
【００３０】
低い段４１の直径はフィットネスリングの重り５の円環の内径に適合し、両者は互いに嵌合接続でき、階段の垂直面とフィットネスリングの重り５の円環の端面とは互に当接し、これによってフィットネスリングの重り５が内側へ移動することを制限する。
【００３１】
固定座４の外端面にフィットネスリングの重りのハンドル５１を係合する凹部４２を設け、これによりその中にフィットネスリングの重りのハンドル５１を嵌め込む。
【００３２】
さらに、図１〜３に示すように、固定座４の外端面にロックホールラグ７を収容する皿穴４３をさらに設ける。
【００３３】
ロックホールラグ７は、直方体の構造であって、皿穴４３の中に嵌め込んで固定座４の一部をなす。
【００３４】
ロックホールラグ７は、固定座４の軸線から一定距離だけ離れ、固定座４の軸線に対向する面（すなわちロックホールラグ７の下端面）にロックホールとしての長方形の皿穴７１を設ける（図３を参照）。
【００３５】
さらに、図１〜３に示すように、固定座４の外端面にヒンジラグ８を収容する皿穴４４をさらに設ける。
【００３６】
ヒンジラグ８は、皿穴４４の中に嵌め込んで固定座４の一部をなす。
【００３７】
ヒンジラグ８内にヒンジラグ８の両側面を貫通するヒンジラグピン穴８１を設ける。
【００３８】
さらに、図１〜３に示すように、締付錠は、ロック本体１００と、ラッチボルト１４０と、リリース手段とを備える。
【００３９】
ロック本体１００は円柱状の構造であり、その直径は固定座４の外端面の直径と同一または近似する。
【００４０】
ロック本体１００の辺縁に固定座４のヒンジラグ８を収容するヒンジ切り口１０４を設け、ヒンジ切り口１０４の対向面を貫通するヒンジピン穴１０５を設ける。
【００４１】
ロック本体１００は、ヒンジによってバーベルの固定座４と回転可動に接続する。
【００４２】
ロック本体１００がロックされるときに、その内端面とバーベルの固定座４の外端面とが互いに貼り合わせて、固定座４の凹部４２に嵌め込んだフィットネスリングの重り５のハンドル５１を包みながら固定する。
【００４３】
さらに、ロック本体１００の内端面に固定座４のロックホールラグ７を収容する皿穴１０２を設ける（図３を参照）。
【００４４】
皿穴１０２の形状は、固定座４のロックホールラグ７と適合し、固定座４のロックホールラグ７をスムーズに挿入および離脱できる。
【００４５】
さらに、図１〜３に示すように、ロック本体１００の外端面にラッチボルト１４０を置く皿穴１０３を設ける。
【００４６】
皿穴１０３は、横向きの長方形であり、ラッチボルト１４０のフランジに対向する頂壁にロック本体１００のスルーホール１０７を設ける。
【００４７】
スルーホール１０７の寸法は、ロックホールラグ７の下端面の皿穴７１と適合する。
【００４８】
ラッチボルト１４０がロック状態にあるときに、ラッチボルト１４０の上部がスルーホール１０７を貫通してロックホールラグ７の皿穴７１に挿入する（図３を参照）。
【００４９】
ロック本体１００の外端面の皿穴１０３の中央部にラグ１０６を設ける。
【００５０】
さらに、ロック本体１００の外端面は、ロック本体１００と適合する外端カバー１７０に覆われてある。
【００５１】
ロック本体１００の外端カバー１７０は、ネジ９によってロック本体１００のねじ穴１０１に介してロック本体１００と締付接続する。
【００５２】
さらに、図１〜３に示すように、ラッチボルト１４０は一定の厚さを有する逆「Ｔ」字型の構造であって、底部の幅はロック本体１００の外端面の皿穴１０３の横向き幅と適合して、当該皿穴１０３に嵌め込む。
【００５３】
ラッチボルト１４０の内側面は、ロック本体１００の外端面の皿穴１０３の底面と互いに摺動可能に貼り合わせられ、当該皿穴１０３の両側壁により制限されながら上下直線移動する。
【００５４】
ラッチボルト１４０の逆「Ｔ」字型の構造の下端面の両側は、ラッチボルト復位バネ１５０と当接する。
【００５５】
ラッチボルト復位バネ１５０の下端面は、ロック本体１００の外端面の皿穴１０３の下壁と当接する。
【００５６】
ラッチボルト１４０の上端であって、ロック本体１００の外端面の皿穴１０３に対向してラッチボルト１４０のガイド面１４１を設け、これによってラッチボルト１４０のフランジを形成する。
【００５７】
固定座４とロック本体１００とをロックさせる時に、ラッチボルト１４０がロック本体１００のスルーホール１０７を貫通して、固定座４のロックホールラグ７の皿穴７１に挿入することにより、固定座４とロック本体１００とを一体化する。
【００５８】
ラッチボルト１４０の下部の両側の凸出部からロック本体１００の外端面に対向してラッチボルト１４０をリリースするラグを延出し、当該ラグにガイド面１４２（すなわち外側へ延出する下向きの傾斜面）を設ける。
【００５９】
ラッチボルト１４０の垂直部の対称中心に、ロック本体１００の軸方向に沿って貫通する長穴状のスルーホール１４３を設ける。
【００６０】
さらに、図１〜３に示すように、締付錠のリリース手段として使用するリリースボタン１６０は円柱状の構造である。
【００６１】
ロック本体１００の外端カバー１７０の中心軸線に、リリースボタン１６０が摺動しながら通れるスルーホール１７１を設ける。
【００６２】
リリースボタン１６０は、ラッチボルト１００をリリースするガイド面１４２と対応する位置に、対称配置する一対のリリースボタンラグ１６１を直径方向に延出する。
【００６３】
リリースボタンラグ１６１に、ガイド面１６４（内側へ延出する上向きの傾斜面、図４、５を参照）を設ける。
【００６４】
締付錠が取付けられた後、ラッチボルト１４０をリリースするガイド面１４２とボタンをリリースするガイド面１６４とは、相対移動可能に接する。
【００６５】
リリースボタン１６０は、ラッチボルト１４０の外端面に対向して、リリースボタンラグ１６１の配置位置とは９０°異なる位置に、対称配置する一対のリリースボタン１６０の上下端部の凸部１６２を直径方向に延出する。
【００６６】
リリースボタンラグ１６１とリリースボタン１６０の上下端部の凸部１６２とは、共にロック本体１００の外端カバー１７０のスルーホール１７１内側の辺縁部に当接して、リリースボタン１６０がロック本体１００の外端カバー１７０のスルーホール１７１から抜け出すことを防止する。
【００６７】
リリースボタン１６０の他端には、リリースボタン１６０を押しやすくするリリースボタンカバー１８０をさらに覆わせる。
【００６８】
さらに、図１〜３に示すように、締付錠のリリースボタン１６０の内端面の中央部には、ロック本体１００に対向してリリースボタン復位バネ１３０を固定するラグ１６３をさらに設ける。
【００６９】
リリースボタン復位バネ１３０は、一端がリリースボタン復位バネラグ１６３上に嵌合接続し、ラッチボルト１４０の長穴状のスルーホール１４３を貫通して、他端がロック本体１００の外端面の皿穴ラグ１０６上に嵌合接続する。
【００７０】
リリースボタン１６０を押した場合には、リリースボタン１６０をリリースするガイド面１６４を介して、ラッチボルト１４０をリリースするガイド面１４２に下向き力が加われ、ラッチボルト１４０全体が降下する。したがって、ラッチボルト１４０がロックホールラグ７の皿穴７１から離脱し、ロック本体１００と固定座４とをアンロックする。
【００７１】
ラッチボルト１４０の移動中、リリースボタン復位バネ１３０はラッチボルト１４０の長穴状のスルーホール１４３の中に位置されるため、ラッチボルト１４０の移動による影響を受けない。
【００７２】
リリースボタン１６０を開放した時には、リリースボタン復位バネ１３０の弾性回復力により、リリースボタンラグ１６１およびリリースボタン１６０の上下端部の凸部１６２が再びにロック本体１００の外端カバー１７０のスルーホール１７１の内側の辺縁部に当接し、リリースボタン１６０は元の位置に戻り、ラッチボルト１４０全体が上昇して再びロック状態になる。
【００７３】
さらに、図１に示すように、固定座４とロック本体１００との間に回転復位バネ１２０を設ける。
【００７４】
回転復位バネ１２０はロック本体のヒンジピン１１０上に嵌合接続した円柱状の回転トーションバーであり、その一端がヒンジ復位バネ固定溝８２により固定座４と締付接続し、他端がロック本体１００と締付接続する。
【００７５】
ロック本体１００と固定座４をアンロックした後に、ロック本体１００をヒンジピン１２０の周りを外側に回転させ，ロック本体１００の内端面と固定座４の外端面とを互いに離脱させる。
【００７６】
回転復位バネ１２０は圧縮され、固定座４からプレートとしてのフィットネスリングの重りを取り出すことができ、ロック本体１００を手放すと回転復位バネ１２０の弾性回復力により、ロック本体１００の内端面は再び固定座４の外端面へ近接してロックする。
【００７７】
従来の技術に比べ、本発明はバーベルのプレートとして円環状のフィットネスリングの重りを使用して、一器多用を実現し、材料の削減を図るとともに、締付錠を使用することによって、プレートの取付けおよび取り外しを簡単に実施することができるという優れた締付効果が得られる。
【００７８】
以上のような開示は本発明の一つの具体的な実施例に過ぎず、本発明はこれに限定されるものではなく、当業者が想到できるいずれの変形も本発明の請求の範囲に含む。
【符号の説明】
【００７９】
１  シャフト、
２  止め輪、
３  固定座端面カバー、
３１  ネジ、
３２  スクリュープラグ、
４  固定座、
４１  固定座の低い段、
４２  フィットネスリングの重りのハンドルの凹部、
４３  固定座のロックホールラグ皿穴、
４４  固定座ヒンジラグ皿穴、
５  フィットネスリングの重り、
５１  フィットネスリングの重りのハンドル、
６  固定ピン、
７  ロックホールラグ、
７１  ロックホールラグの皿穴、
８  ヒンジラグ、
８１  ヒンジラグのピン穴、
８２  ヒンジ復位バネ固定溝、
９  ネジ、
１００  ロック本体、
１０１  ロック本体のねじ穴、
１０２  ロック本体の内端面の皿穴、
１０３  ロック本体の外端面の皿穴、
１０４  ヒンジラグを収容するヒンジ切り口、
１０５  ヒンジピン穴、
１０６  ロック本体の外端面の皿穴ラグ、
１０７  ロック本体のスルーホール、
１１０  ヒンジピン、
１２０  回転復位バネ、
１３０  リリースボタン復位バネ、
１４０  ラッチボルト、
１４１  ラッチボルトの上端ガイド面、
１４２  ラッチボルトをリリースするガイド面、
１４３  ラッチボルトの長穴状のスルーホール、
１５０  ラッチボルト復位バネ、
１６０  リリースボタン、
１６１  リリースボタンラグ、
１６２  リリースボタンの上下端部の凸部、
１６３  リリースボタン復位バネラグ、
１６４  ボタンをリリースするガイド面、
１７０  ロック本体の外端カバー、
１７１  ロック本体の外端カバーのスルーホール、
１８０  リリースボタンカバー。
【図１】
0005466309.tif 000002
【図２】
0005466309.tif 000003
【図３】
0005466309.tif 000004
【図４】
0005466309.tif 000005
【図５】
0005466309.tif 000006